(57)【要約】【課題】  本発明は上記課題に鑑み、停電が発生した場合であっても分析が無駄にならず、より簡便な再立ち上げ可能なクロマトグラフ装置を提供する。【解決手段】  本発明は、以下の構成を有する。複数の構成ユニットから構成されるクロマトグラフィ装置であって、各構成ユニットにバッテリーと停電検知装置を備え、前記停電検知装置が電源からの電力供給が無いことを検知すると、当該停電検知装置を有する構成ユニットをバッテリー駆動に切換え、バッテリー容量が測定プログラムを実行するのに必要な電力を比較し、バッテリー容量が多ければ、設定された測定プログラムを実行することを特徴とするクロマトグラフ装置。【選択図】図４
2014035306.tif 000002
【特許請求の範囲】
【請求項１】
複数の構成ユニットから構成されるクロマトグラフィ装置であって、
各構成ユニットにバッテリーと停電検知装置を備え、前記停電検知装置が電源からの電力供給が無いことを検知すると、当該停電検知装置を有する構成ユニットをバッテリー駆動に切換え、バッテリー容量が測定プログラムを実行するのに必要な電力を比較し、バッテリー容量が多ければ、設定された測定プログラムを実行することを特徴とするクロマトグラフ装置。
【請求項２】
請求項１において、バッテリー容量が前記測定プログラムを実行するのに必要な電力を比較し、バッテリー容量が少なければ、前記測定プログラムのうち測定の一部を実行することを特徴とするクロマトグラフ装置。
【請求項３】
請求項２において、バッテリー容量が前記測定プログラムの一部を実行するのに必要な電力を比較し、バッテリー容量が少なければ、予め設定されたメンテナンスプログラムを実行することを特徴とするクロマトグラフ装置。
【請求項４】
請求項３において、バッテリー容量が前記メンテナンスプログラムを実行するのに必要な電力を比較し、バッテリー容量が少なければ、前記メンテナンスプログラムの一部を実行することを特徴とするクロマトグラフ装置。
【請求項５】
複数の構成ユニットから構成されるクロマトグラフィ装置であって、
各構成ユニットに電力を供給する電源ユニットを備え、前記電源ユニットは、停電検知装置とバッテリーと接続され、前記停電検知装置が電源からの電力供給が無いことを検知すると、前記電源ユニットをバッテリー駆動に切換え、バッテリー容量が測定プログラムを実行するのに必要な電力を比較し、バッテリー容量が多ければ、設定された測定プログラムを実行することを特徴とするクロマトグラフ装置。
【請求項６】
請求項５において、バッテリー容量が前記測定プログラムを実行するのに必要な電力を比較し、バッテリー容量が少なければ、前記測定プログラムのうち測定の一部を実行することを特徴とするクロマトグラフ装置。
【請求項７】
請求項６において、バッテリー容量が前記測定プログラムの一部を実行するのに必要な電力を比較し、バッテリー容量が少なければ、予め設定されたメンテナンスプログラムを実行することを特徴とするクロマトグラフ装置。
【請求項８】
請求項７において、バッテリー容量が前記メンテナンスプログラムを実行するのに必要な電力を比較し、バッテリー容量が少なければ、前記メンテナンスプログラムの一部を実行することを特徴とするクロマトグラフ装置。
【請求項９】
請求項５において、前記停電検知装置と前記バッテリーは、前記電源ユニット内部に備えることを特徴とするクロマトグラフ装置。
【発明の詳細な説明】
【技術分野】
【０００１】
本発明は、液体クロマトグラフシステムやガスクロマトグラフシステム等のクロマトグラフ装置に関する。
【背景技術】
【０００２】
クロマトグラフ装置、例えば液体クロマトグラフ装置は、移動相を送液するポンプ、測定試料を流路系へ注入するオートサンプラ、測定試料の成分を分離するカラム、カラム温度を恒温し分離性能を促進するカラムオーブン、カラムで分離した試料に光を照射し光の吸収量や増加量を検出する光学検出器、検出した光の吸収量や増加量を波形処理し試料成分の定性、定量分析を行う情報処理（演算）機により構成される。
【０００３】
特許文献１には、停電が発生し、分析が途中で終了した際に停電発生前の動作に自動復帰させる技術が公開されている。
【先行技術文献】
【特許文献】
【０００４】
【特許文献１】特開２００２−１３９５０４号公報
【発明の概要】
【発明が解決しようとする課題】
【０００５】
従来の液体クロマトグラフは、人為的ミスによる電源OFF、停電により交流電源電源からの電力供給が途切れた場合、分析の強制終了および装置の強制停止が起こっていた。分析が強制終了した場合、分析途中のデータの損失、貴重サンプル（試料）の損失が発生する。さらに装置が強制停止した場合、再測定を実施するために人手による装置の再立ち上げが必要になり、その中には分析システム安定化のための無駄な待ち時間が必要になる。また、試料や溶媒が流路系内壁に付着したまま装置が停止すると、汚れや詰まりが発生する要因となるため、分析性能の悪化や装置やカラムの故障を引き起こしてしまう。
【０００６】
本発明は上記課題に鑑み、停電が発生した場合であっても分析が無駄にならず、より簡便な再立ち上げ可能なクロマトグラフ装置を提供する。
【課題を解決するための手段】
【０００７】
本発明は、以下の構成を有する。複数の構成ユニットから構成されるクロマトグラフィ装置であって、各構成ユニットにバッテリーと停電検知装置を備え、前記停電検知装置が電源からの電力供給が無いことを検知すると、当該停電検知装置を有する構成ユニットをバッテリー駆動に切換え、バッテリー容量が測定プログラムを実行するのに必要な電力を比較し、バッテリー容量が多ければ、設定された測定プログラムを実行することを特徴とするクロマトグラフ装置。
【発明の効果】
【０００８】
本発明によれば、停電等の急な装置電源OFFによって分析が強制終了した場合、データの損失、貴重サンプル（試料）の損失を防ぐことができる。
【図面の簡単な説明】
【０００９】
【図１】本発明の一実施形態の分析システムの構成の一例として液体クロマトグラフを示す図である。
【図２】本発明の一実施形態の分析システムの構成の一例として液体クロマトグラフを示す図である。
【図３】本発明の一実施形態の分析システムの構成の一例として液体クロマトグラフを示す図である。
【図４】本発明のプログラム構成の一例を示す図である。
【図５】本発明のプログラム構成の一例を示す図である。
【発明を実施するための形態】
【００１０】
まず、発明の概念について説明する。分析システム、例えば液体クロマトグラフに停電等による電源のON/OFFを検知する素子、電源供給用バッテリーを搭載する（無停電電源装置、キャパシタでも可）。バッテリーは交換可能とし、容量を選択できる構成とする。
【実施例１】
【００１１】
図1では、システムを構成するそれぞれの装置に電源のON/OFF検知素子とバッテリーを搭載している。液体クロマトグラフ装置は、ポンプ１、オートサンプラ２、カラムオーブン３、検出器４から構成され、それぞれの装置の信号を処理する演算装置５、停電検知装置６から構成される。ポンプ１、オートサンプラ２、カラムオーブン３、検出器４はそれぞれ停電検知装置６と交流電源７とバッテリー８を備える。このような構成により、システムを構成する装置のいずれか１つが停電により動かなくなった場合に、下記で説明するプログラムを実施することができる。
【実施例２】
【００１２】
図2では、電源供給用装置に電源のON/OFF検知素子とバッテリーを搭載することができる。液体クロマトグラフ装置は、ポンプ１、オートサンプラ２、カラムオーブン３、検出器４から構成される。さらに、電源ユニット９を備え、電源ユニット９内に停電検知装置６と交流電源７とバッテリー８を備える。
【実施例３】
【００１３】
図3では、システムを設置する場所に電源のON/OFF検知素子とバッテリーを用いることでバッテリー搭載品と同等の機能を有する装置を安価に実現可能である。液体クロマトグラフ装置は、ポンプ１、オートサンプラ２、カラムオーブン３、検出器４から構成される。さらに、電源ユニット９を備え、電源ユニット９の外に停電検知装置６とバッテリー８を備え、それらが交流電源７と接続している。
【実施例４】
【００１４】
〔制御プログラム〕
図4に制御プログラム例1を示す。停電検知装置６で、電源からの電気の供給のON／OFFを判定する（S1）。電源からの電気の供給がONのときは通常測定を行う。電源からの電気の供給がOFFの時は、次のステップ（S2）にすすむ。電源からの電気の供給がOFFの時、つまり停電を検知した際に、装置への電源供給をバッテリーに切り替える。さらに、バッテリー残量を検知し、シーケンスラン（複数分析を実行するプログラム）に必要な電力Wと比較する。シーケンスランを実行するために必要な電力は、使用装置それぞれの消費電力と分析時間、分析回数から算出できる。シーケンスランに必要な電力W＜バッテリー容量の場合はシーケンスランを実行する。シーケンスランに必要な電力W≧バッテリー容量の場合は、シーケンスランを実行せず、次のステップ（S3）に進む。シングルラン（1分析実行）に必要な電力とバッテリー容量を比較する。シングルランに必要な電力は、使用装置それぞれの消費電力と分析時間から算出できる。シングルランに必要な電力W＜バッテリー容量の場合はシングルランを実行する。本実施例では、シングルランで説明しているが、シングルランをバッテリー容量を超えない範囲で複数回実行することも可能である。
【００１５】
シングルランに必要な電力W≧バッテリー容量の場合は、シングルランを実行せず、次のステップ（S4）に進む。
【００１６】
使用者設定プログラムランに必要な電力とバッテリー容量を比較する。使用者設定プログラムランは装置メンテナンスのために使用者が任意に設定するプログラムで、例えばポンプを数分間動かしてシステムの流路系の洗浄を実施したり、オーブンの温度を低温まで下げて流路系内の溶媒の蒸発を防いだりするプログラムを事前設定しておいたものである。使用者設定プログラムランに必要な電力W＜バッテリー容量の場合は使用者設定プログラムランを実行する。使用者設定プログラムランに必要な電力W≧バッテリー容量の場合は、優先設定プログラムランを実施する。優先設定プログラムランは使用者が最低限実施したいメンテナンスプログラムで、例えばポンプのみ数十秒間駆動させ、システムの流路系の洗浄だけ実施するといったプログラムである。
【実施例５】
【００１７】
図5に制御プログラム例2を示す。あらかじめ電源OFF時間を設定しておく。ステップ（S5）において、設定時間以上電源OFFが続けば装置が起動しメンテナンスプログラムがスタートする。設定時間内に電源が復旧すれば再起動後再測定プログラムを実施する。再起動後再測定プログラムは装置を強制終了前の状態に復旧させ再測定を実施するもので使用者が任意に設定可能である。
【００１８】
以上で説明した本発明によれば、停電等の急な装置電源OFFによって分析が強制終了した場合、データの損失、貴重サンプル（試料）の損失を防ぐことができる。さらに装置が強制停止した場合、再測定を実施するための装置の再立ち上げ（労力）や分析システム安定化のための無駄な待ち時間を省くことができる。また、装置停止前のメンテナンスの実施により汚れや詰まりを防止し、分析性能の悪化、装置やカラムの故障を防ぐことができる。
【００１９】
本発明は、液体クロマトグラフの他、ガスクロマトグラフ等のクロマトグラフ装置に用いることができる。
【符号の説明】
【００２０】
１  ポンプ
２  オートサンプラ
３  カラムオーブン
４  検出器
５  演算装置
６  停電検知装置
７  交流電源
８  バッテリー
９  電源ユニット
１０  電源ライン
【図１】
2014035306.tif 000003
【図２】
2014035306.tif 000004
【図３】
2014035306.tif 000005
【図４】
2014035306.tif 000006
【図５】
2014035306.tif 000007